(57)【要約】【課題】クライアント用端末から設備機器に対する一つの要求をサーバ側オブジェクトに対して行うことで、設備機器のサービスを同時に複数享受することができ、またサービスを提供する機器の増加に柔軟に対処することができる遠隔制御システムを提供することにある。【解決手段】ユーザエリアＡに設けられたゲートウェイ８のサービス機能部ＯＡＳは、複数の設備側オブジェクトの固有識別子であるＯＩＤやオブジェクト下のインターフェースの識別子ＩＩＤに対応付けられたサーバ側オブジェクトを有し、該サーバ側オブジェクトに対する実行要求がクライアント用端末１０ａ又は１０ｂからあると、設備機器である集中制御コントローラ３ａ１が有する複数の設備側オブジェクトに対する実行を夫々のＯＩＤやインターフェースのＩＩＤを用いて集中制御コントローラ３ａ１に要求する。【選択図】図１
2007274601.tif 000002
【特許請求の範囲】
【請求項１】
１乃至複数の設備機器と、１乃至複数のクライアント用端末と、前記設備機器と前記クライアント用端末との間の情報の授／受に介在するサーバとをネットワークで接続して構成され、
前記設備機器は、制御対象となる機能部と、前記制御情報を定義して該定義に基づいて前記制御情報を前記機能部に与える処理を実行するための１乃至複数の設備側オブジェクトを有し、前記設備側オブジェクトに付与された識別子を用いて設備側オブジェクトに対する実行要求が前記サーバからあると当該設備側オブジェクトの実行によって前記制御情報を前記機能部に与える情報処理部とを少なくとも備え、
前記サーバは、前記設備側オブジェクトの識別子に対応付けられたサーバ側オブジェクトを有し、該サーバ側オブジェクトに対する実行要求がクライアント用端末からあると、前記対応付けられた識別子を用いて当該設備側オブジェクトに対する実行要求を当該設備機器にネットワークを介して行うサービス機能部を備え、
前記クライアント用端末は、当該サーバ側オブジェクトに対する実行要求を前記サーバ側オブジェクトに付されている識別子を用いて行う機能と、前記サーバからの前記所定情報を処理するための機能とを備え、
前記サーバのサービス機能部は、前記クライアント用端末からのサーバ側オブジェクトに対する実行要求に対して動作させる設備機器のサービスの増減に応じて、前記サーバ側オブジェクトに対応付けする前記設備側オブジェクトの数を増減することを特徴とする遠隔制御システム。
【請求項２】
前記サーバのサービス機能部は、サーバ側オブジェクトの識別子と該識別子に対応付ける前記設備側オブジェクトの識別子との関係を設定する対応関係設定機能を備えていることを特徴とする請求項１記載の遠隔制御システム。
【請求項３】
前記サーバ側オブジェクトに対応付ける設備側オブジェクトは、一つの設備機器が提供する複数のサービスに各別に対応するオブジェクトであることを特徴とする請求項１又は２記載の遠隔制御システム。
【請求項４】
前記サーバ側オブジェクトに対応付ける設備側オブジェクトは、サービスを各別に提供する複数の設備機器に夫々対応するオブジェクトであることを特徴とする請求項１又は２記載の遠隔制御システム。
【発明の詳細な説明】
【技術分野】
【０００１】
本発明は、ネットワークに接続されている設備機器の遠隔監視制御を行うための遠隔制御システムに関するものである。
【背景技術】
【０００２】
従来、ＩＰｖ６ネットワークに接続された端末から、非ＩＰネットワークに接続されている機器を制御したり監視するシステムが提供されている。
【０００３】
このシステムは非ＩＰｖ６ネットワークの機器のインターフェースＩＤと識別情報を取得するとともに、ＩＰｖ６ネットワークのネットワークＩＤを取得し、これらＩＤからＩＰｖ６アドレスを生成し、この生成したアドレスと識別情報の対応を管理することで、非ＩＰｖ６ネットワークの機器と、ＩＰｖ６ネットワークの端末との通信を可能にするゲートウェイを設けて機器の制御や監視を端末で行うようにしたものである。
【特許文献１】特開２００３−６０６６４公報（段落００１４〜００１９、図１）
【発明の開示】
【発明が解決しようとする課題】
【０００４】
ところで特許文献１に開示されているシステムでは非ＩＰｖ６の機器を用いるものの、ＩＰｖ６ネットワークの端末では送信先のＩＰｖ６アドレスを含むヘッダを設けたパケットを送るため、ゲートウェイで非ＩＰｖ６の機器へのＩＰｖ６のアドレス割り当てを行うとしても、端末から複数の機器へのアクセスを行う場合には、各機器に対応するＩＰｖ６アドレスを生成する必要がある。つまりＩＰｖ６アドレスを意識することが必要であり、同じ動作を行う機器が追加されたとしても、当然それに対応するＩＰｖ６アドレスを別にする必要があり、一つの識別子で複数の機器を制御する操作はできなかった。また一つの機器に複数の識別子を別々に割り当てすることもできず、更にまたサービスを提供する機器の増減にも柔軟に対処することもできなかった。
【０００５】
本発明は上述の点に鑑みてなされたもので、その目的とするところは、設備機器の制御を行う遠隔制御システムにおいて、クライアント用端末から設備機器に対する一つの要求をサーバ側オブジェクトに対して行うことで、設備機器のサービスを同時に複数享受することができ、またサービスを提供する機器の増加に柔軟に対処することができる遠隔制御システムを提供することにある。
【課題を解決するための手段】
【０００６】
上述の目的を達成するために、請求項１の発明では、１乃至複数の設備機器と、１乃至複数のクライアント用端末と、前記設備機器と前記クライアント用端末との間の情報の授／受に介在するサーバとをネットワークで接続して構成され、
前記設備機器は、制御対象となる機能部と、前記制御情報を定義して該定義に基づいて前記制御情報を前記機能部に与える処理を実行するための１乃至複数の設備側オブジェクトを有し、前記設備側オブジェクトに付与された識別子を用いて設備側オブジェクトに対する実行要求が前記サーバからあると当該設備側オブジェクトの実行によって前記制御情報を前記機能部に与える情報処理部とを少なくとも備え、
前記サーバは、前記設備側オブジェクトの識別子に対応付けられたサーバ側オブジェクトを有し、該サーバ側オブジェクトに対する実行要求がクライアント用端末からあると、前記対応付けられた識別子を用いて当該設備側オブジェクトに対する実行要求を当該設備機器にネットワークを介して行うサービス機能部を備え、
前記クライアント用端末は、当該サーバ側オブジェクトに対する実行要求を前記サーバ側オブジェクトに付されている識別子を用いて行う機能と、前記サーバからの前記所定情報を処理するための機能とを備え、
前記サーバのサービス機能部は、前記クライアント用端末からのサーバ側オブジェクトに対する実行要求に対して動作させる設備機器のサービスの増減に応じて、前記サーバ側オブジェクトに対応付けする前記設備側オブジェクトの数を増減することを特徴とする。
【０００７】
請求項１の発明によれば、クライアント用端末からサーバのサーバ側オブジェクトに対する実行要求を一つ出せば、サーバ側オブジェクトから対応付けてある複数の設備側オブジェクトに対する実行要求を行うため、クライアント用端末とサーバ側との間の通信量を変えずに設備側オブジェクトの実行によって提供されるサービスを複数同時に享受することができ、クライアント用端末のアプリケーションで複数の設備側オブジェクトに対する対応を行う必要もなく、その上設備機器のサービスを同時に複数享受することができ、またサービスを提供する機器の増加に柔軟に対処することができる。
【０００８】
請求項２の発明では、請求項１の発明において、前記サーバのサービス機能部は、サーバ側オブジェクトの識別子と該識別子に対応付ける前記設備側オブジェクトの識別子との関係を設定する対応関係設定機能を備えていることを特徴とする。
【０００９】
請求項２の発明によれば、前記サーバのサービス機能部は、サーバ側オブジェクトに対応付ける設備機器の増減があっても、対応関係設定機能により設定されているサーバ側オブジェクトの識別子と該識別子に対応付ける前記設備側オブジェクトの識別子との関係を変更するだけで容易に対処することができる。
【００１０】
請求項３の発明では、請求項１又は２の発明において、前記サーバ側オブジェクトに対応付ける設備側オブジェクトは、一つの設備機器が提供する複数のサービスに各別に対応するオブジェクトであることを特徴とする。
【００１１】
請求項３の発明によれば、複数の設備側オブジェクトを有し、夫々の設備側オブジェクトの実行で複数のサービスが提供できる設備機器に対して、各設備側オブジェクトの実行要求をサーバから同時に行える。
【００１２】
請求項４の発明では、請求項１又は２の発明において、前記サーバ側オブジェクトに対応付ける設備側オブジェクトは、サービスを各別に提供する複数の設備機器に夫々対応するオブジェクトであることを特徴とする。
【００１３】
請求項４の発明によれば、複数の設備機器の制御を、クライアント用端末から一つの実行要求をサーバ側オブジェクトに行うだけで達成でき、例えば異種の設備機器を一度に制御することも可能となる。
【発明の効果】
【００１４】
本発明は、クライアント用端末からサーバのサーバ側オブジェクトに対する実行要求を一つ出せば、サーバ側オブジェクトから対応付けてある複数の設備側オブジェクトに対する実行要求を行うため、クライアント用端末とサーバ側との間の通信量を変えずに設備側オブジェクトの実行によって提供されるサービスを複数同時に享受することができ、クライアント用端末のアプリケーションで複数の設備側オブジェクトに対する対応を行う必要もなく、その上設備機器のサービスを同時に複数享受することができ、またサービスを提供する機器の増加に柔軟に対処することができるという効果がある。
【発明を実施するための最良の形態】
【００１５】
以下本発明を実施形態により説明する。
（実施形態１）
図１はユーザエリアＡである宅内の設備機器の遠隔制御システムを構成する本実施形態を示しており、この実施形態では、宅内の照明器具１ａ、空調機器１ｂ、電気錠１ｃのようなＪＥＭＡ規格（日本電機工業会規格）対応の電気機器１を遠隔制御するための集中制御コントローラ３ａ１，３ａ２、各種防犯センサや防災センサなどの異常発生検出用センサ４の状態を無線によって収集して異常発生の検出があったときに警報情報を出力する警報監視装置３ｂ、インターホンシステム５のテレビカメラ（図示せず）で捉えた来訪者の録画映像を外部や宅内のモニタへ配信するための録画転送装置３ｃ等を本システムの設備機器３として宅内に設置したＬＡＮ６のケーブルに接続しており、このＬＡＮ６は住宅の分岐ブレーカーや主幹ブレーカーなどのブレーカー群２を内蔵した分電盤７内に設けた後述するオブジェクトアクセスサーバというサービス機能部ＯＡＳ＜Object Access Saver＞を備え、サーバとしても機能する図３に示すゲートウェイ８のハブ部８０に接続し、ゲートウェイ８内のルータ部８１と、ＡＤＳＬや光ファイバ通信網など接続サービス業者が提供するインターネット接続網用のモデム部８２とを介して外部からのインターネット９に接続されている。
【００１６】
またゲートウェイ８のハブ部８０に接続されているＬＡＮ６には後述する専用のクライアント用端末１０ａや、パソコン１１が接続されている。
【００１７】
一方、インターネット９にはセンターサーバ１２や、移動体通信網を介してインターネットに接続される携帯電話機からなるクライアント用端末１０ｂが接続されるようになっている。
【００１８】
ここで本実施形態のシステムに用いる設備機器３の基本的な構成は、図２（ａ）に示すように設備機器独自のサービスを提供するための機能部３０と、この機能部３０にインターフェース部３１とバス３２とを介して動作指示（動作制御）するための関数を与えたり、機能部３０の現在状態を示す変数を取得したり、更には機能部３０の状態変換が発生したことを示すイベント情報を取得する処理を行う情報処理部３３と、ネットワーク通信（例えばイーサネット（登録商標）規格の通信）のための通信部３４と、情報処理部３３の記憶部３５には本実施形態の遠隔制御システムにおけるオブジェクト機能を実現するためのモジュール部ＭＯＳ＜Micro Object Server＞を組み込んである。
【００１９】
このモジュール部ＭＯＳは、図２（ｂ）に示すように設備機器３のためのアプリケーション部５０と、後述するＯＳＩ７階層モデルに対応したソフトウェア通信モジュール５１と、機能部３０との間の情報の授受のためのハードウェア通信モジュール５２とから構成される。
【００２０】
モジュール部ＭＯＳを搭載している設備機器たる集中制御コントローラ３ａ１，３ａ２の場合には信号線１３を介して各照明器具１ａ、空調機器１ｂ、電気錠１ｃにＪＥＭＡ規格に対応した制御信号を生成したり、動作信号を監視情報として受け取る機能を備えるとともにこれら信号に対応した情報を情報信号部３３との間で授受する機能部を上述の機能部３０として備えている。
【００２１】
またモジュール部ＭＯＳを搭載している設備機器たる警報監視装置３ｂの場合には異常発生検出用センサ４からの検出信号を無線で受信する無線受信部の他に、無線受信部で受信した検出信号を受信し異常検出時には警報器１３へ発報する処理や、外部へ発報情報を出力処理する機能部を備え、この機能部が上述の機能部３０を構成し、情報信号部３３への発報情報を渡すようになっている。
【００２２】
更にモジュール部ＭＯＳを搭載している設備機器たる録画転送装置３ｃは録画映像データを格納する録画部を機能部３０として、この機能部３０に録画保存されている録画映像データを情報信号部３３へ渡すようになっている。
【００２３】
ゲートウェイ８は、上述したようにハブ部８０と、ルータ部８１と、インターネット９モデム部８２とを備えている他に、本システムの設備機器３のネットワークの繋がり方を隠すためのオブジェクト・ルータとしての機能を実現するソフトと各設備機器３の設備側オブジェクトが備えている入出力定義機能（以下インターフェースという）をアクセスすることで、当該設備機器３の機能部３０が提供するサービスをユーザが享受するために実行される各種アプリケションソフト、更に異種のプロトコルを変換して本実施形態のネットワークシステムにシームレスに繋ぐためのプロトコル・ブリッジサービスと、後述するセンターサーバ１２との間の通信に用いるプロトコルをＳＯＡＰ（Simple Object Access Protocol）に変換してファイヤーウォールを通過させるためのファイヤーウォール・ブリッジ・サービス等の追加可能なサービス機能を実現するソフトから構成されるサービス機能部ＯＡＳとを備えている。
【００２４】
ここで、本実施形態の遠隔制御システムで使用するプロトコルはＯＳＩ７階層モデルを用いており、設備機器３の情報処理部３３のモジュール部ＭＯＳがクライアント用端末１０ａ，１０ｂに変数、イベント情報を渡したり、或いは関数を受け取る等のための独自プロトコル（以下ＯＡＰという）からアプリケーション層を構成し、このＯＡＰを用いてサービス機能部ＯＡＳと設備機器３のモジュール部ＭＯＳとの間の情報授受を行うようになっている。
【００２５】
またモジュール部ＭＯＳのソフトウェア通信モジュール５１は、ＯＳＩ７階層のネットワーク層〜プレゼンテーション層におけるプロトコルを担うものであって、上述のＯＡＰの定義やＴＣＰ，ＵＤＰの統合を行っている。
【００２６】
センターサーバ１２はインターネット９上に設置されるもので、ゲートウェイ８と同様にサービス機能部ＯＡＳを搭載し、他のサービス機能部ＯＡＳ間の通信には上述のＳＯＡＰによって行うようになっている。
【００２７】
また本システムの各設備機器３は、機能部３０がサービス提供のための処理を行う際に用いる１乃至複数の設備側オブジェクトを情報処理部３３内に組み込まれたモジュール部ＭＯＳの下で有するとともに、夫々の設備側オブジェクトには提供サービスに対応する情報（機能部３０の現在状態を示す変数、機能部３０に渡す制御のための関数、機能部３０での変化発生を示すイベント情報）によって定義されたインターフェースを１乃至複数持たせており、各オブジェクトには固有識別子（以下ＯＩＤという）を付与し、各インターフェースには識別子（以下ＩＩＤという）を付与してある。
【００２８】
この定義内容が同一のインターフェース、つまり同じＩＩＤを付与したインターフェースは複数の設備側オブジェクト下に割り当てることが許されるものであり、設備側オブジェクトの実行は、設備側オブジェクトのＯＩＤ或いはインターフェースのＩＩＤ又は両者の組み合わせを用いた実行要求を情報処理部３３が後述するようにゲートウェイ８内のサービス機能部ＯＡＳから受け取ったときに為される。この実行要求は、特定の設備側オブジェクト下の特定のインターフェースに対応する実行要求の場合にはＯＩＤと当該インターフェースのＩＩＤとの組み合わせが、また同じ定義内容のインターフェースが複数の設備機器３の設備側オブジェクト下或いは同じ設備機器３が有する複数の設備側オブジェクト下にある場合には当該インターフェースのＩＩＤのみで実行要求を行うようになっている。
【００２９】
一方本システムでは、ユーザエリアである宅内にあるゲートウェイ８のサービス機能部ＯＡＳにはサービス提供のための処理を行う際に用いる１乃至複数のサーバ側オブジェクトを有するとともにサーバ側オブジェクトには情報（変数、関数、イベント情報の組み合わせ）によって定義されたインターフェースを１乃至複数持たせるとともに、サーバ側オブジェクトのＯＩＤ及びその下のインターフェスのＩＩＤの組み合わ情報と対応する設備側オブジェクトのＯＩＤ及びその下のインタフェースのＩＩＤの組み合わせ情報との対応関係を設定して対応関係設定テーブルに格納する対応関係設定機能を持たせている。またこのサーバ側オブジェクトはクライアント用端末１０ａ或いはセンターサーバ１２により中継されて送られてくるクライアント用端末１０ｂから、サービス機能部ＯＡＳ側のＯＩＤやＩＩＤを用いた実行要求があると、予め対応付けてある設備機器３のモジュール部ＭＯＳの特定の設備側オブジェクトのインターフェースに対する実行要求をＯＩＤとＩＩＤを用いて行うようにプログラムされている。
【００３０】
クライアント用端末１０（１０ａ，１０ｂ）は、図４に示すように夫々が接続されるネットワーク通信を行うための通信部１００と、演算処理部１０１と、キーや表示器等からなる入出力部１０２と、当該ネットワークシステムにおいて提供サービスを享受するためのクライアント用ソフト（以下ＯＡＬ＜Object Access Library＞という）やクライアント用アプリケーション（ソフト）等を格納するとともにデータの一時記憶等に用いる記憶部１０３とを備え、演算処理部１０１はＯＡＬを実行することでインターネット９やＬＡＮ６上の後述するオブジェクトに対する実行要求が行え、またクライアント用アプリケーションを実行することで後述する設備機器３が提供できるサービス、つまり設備機器３への制御要求や、設備機器３側からの監視情報（変数、イベント情報）を当該クライアント用ネット端末２が所望する形で享受することができるようになっている。尚図４中１０４はバスである。
【００３１】
次に本実施形態のシステムの動作を説明する。
【００３２】
まずシステム立ち上がり時には、ゲートウェイ８のサービス機能部ＯＡＳはＬＡＮ６に接続されているモジュール部ＭＯＳ搭載の設備機器３（３ａ１，３ａ２，３ｂ，３ｃ）の検出処理を行って、ＬＡＮ６上の設備機器３（３ａ１，３ａ２，３ｂ，３ｃ）のＩＰアドレス等ネットワーク通信に必要な情報を取得する。そして接続処理後、各設備機器３（３ａ１，３ａ２，３ｂ，３ｃ）のモジュール部ＭＯＳは、ゲートウェイ８のサービス機能部ＯＡＳに対して自己のモジュール部ＭＯＳ上の設備側オブジェクトのＯＩＤ及びその下のインターフェースのＩＩＤの情報の組み合わせを全てゲートウェイ８のサービス機能部ＯＡＳに送る処理を行う。
【００３３】
一方ゲートウェイ８のサービス機能部ＯＡＳは、設備機器３（３ａ１，３ａ２，３ｂ，３ｃ）から受け取った設備側オブジェクトのＯＩＤ及びＩＩＤの組み合わせ情報と、送ってきた設備機器３（３ａ１，３ａ２，３ｂ，３ｃ）のネットワーク通信（ＴＣＰ／ＩＰベース）上の識別子であるＩＰアドレスとを対応付けて設備接続情報テーブルに予め格納保持する。この格納した組み合わせ情報とＩＰアドレスとの対応関係の情報は設備機器３の増減に応じて更新される。
【００３４】
またゲートウェイ８は、配下のＬＡＮ６に接続されているクライアント用端末１０ａに対して、自己のサービス機能部ＯＡＳのサーバ側オブジェクトのＯＩＤ及びインターフェースのＩＩＤを通知する処理を行う。この処理は記憶保持するＯＩＤ及びＩＩＤの組み合わせ情報が更新される度に行う。
【００３５】
尚ゲートウェイ８から設備機器３（３ａ１，３ａ２，３ｂ，３ｃ）の設備側オブジェクトのＯＩＤ及びその下のインターフェースのＩＩＤの情報も送るようにしても良い。
【００３６】
更にゲートウェイ８はインターネット９上のサービス機能部ＯＡＳ搭載サーバ、図１ではセンターサーバ１２に対して自己の配下の設備機器３（３ａ１，３ａ２，３ｂ，３ｃ）の設備側オブジェクトＯＩＤ及びその下のインターフェースＩＩＤの情報を送る処理を行う。この処理は記憶保持するＯＩＤ及びＩＩＤの組み合わせ情報が更新される度に行う。またゲートウェイ８は自己のサービス機能部ＯＡＳのサーバ側オブジェクトのＯＩＤ及びインターフェースのＩＩＤをセンターサーバ１２に予め送っているものとする。
【００３７】
このようにしてシステムが構築された状態において、本実施形態におけるクライアント用端末１０ａ又は１０ｂから設備機器３のサービス提供を受けることを要求する際の動作を図５（ａ）〜（ｃ）の各例毎に基づいて説明する。
【００３８】
（例１）
図５（ａ）の例では集中制御コントローラ３ａ１の情報処理部３３のモジュール部ＭＯＳは電気錠１ｅと、空調機器１ｂの制御に対応する「電気錠」と、「空調機器」というＯＩＤが付された二つの設備側オブジェクトを有し、夫々には「施錠」というＩＩＤが付され、施錠するための関数を定義したインターフェースと、「空調」というＩＩＤが付されて運転を停止するための関数を定義したインターフェースを持っており、それぞれのＯＩＤ或いはＩＩＤにより実行要求があって実行されると、情報処理部３３はモジュール部ＭＯＳを介して集中制御コントローラ３ａ１の機能部３０に空調機器１ｂの運転停止の制御情報或いは電気錠１ｅの施錠の制御情報を関数として渡す処理を行う。これにより機能部３０は制御情報に基づいて空調機器１ｂの運転を停止させる制御信号或いは電気錠１ｅを施錠する制御信号を夫々が接続されている信号線１３を介して送る処理を行うようになっている。
【００３９】
一方ゲートウェイ８のサービス機能部ＯＡＳが有するサーバ側オブジェクトは「外出」というＯＩＤが付されるとともに、電気錠１ｃの施錠を行うという意味の関数を定義している「施錠」というＩＩＤが付されたインターフェースを持ち、このＩＩＤを用いた実行要求があると、上述の対応関係設定テーブルに格納しているＯＩＤ及びＩＩＤからなる組み合わせ情報に基づいて、予め対応付けてある集中制御コントローラ３ａ１の情報処理部３３のモジュール部ＭＯＳの「電気錠」というＯＩＤの設備側オブジェクトの「施錠」というＩＩＤと、「空調機器」というＯＩＤの設備側オブジェクトの「空調」というＩＩＤとに対して実行要求を行うようにプログラムされている。
【００４０】
つまり、サービス機能部ＯＡＳは、予めサーバ側オブジェクトのＯＩＤ及びＩＩＤの組み合わせ情報とこれに対応させる設備側オブジェクトのＯＩＤ及びＩＩＤの組み合わせ情報との関係をテーブル形式で設定する対応関係設定機能を備えており、この対応関係設定機能により設定されたテーブルを参照して上述のような実行要求が行われる。表１は本例の場合の対応関係設定テーブルの内容である。
【００４１】
【表１】
2007274601.tif 000003
【００４２】
而してユーザが外出するときに電気錠１ｅの施錠と空調機器１ｂの運転停止を行いたいときには、クライアント用端末１０ａから、サーバ側オブジェクトの「外出」というＯＩＤと「施錠」というＩＩＤとを用いてサーバ側オブジェクトの実行をゲートウェイ８のサービス機能部ＯＡＳに対して要求すれば、空調機器１ｂの運転停止と、電気錠１ｅの施錠という二つのサービスを享受することができるのである。つまりゲートウェイ８のサービス機能部ＯＡＳはクライアント用端末１０ａからの実行要求に応えて、当該オブジェクトの実行を行い、集中制御コントローラ３ａ１の情報処理部３３のモジュール部ＭＯＳの「電気錠」というＯＩＤの設備側オブジェクトの「施錠」というＩＩＤと、「空調機器」というＯＩＤの設備側オブジェクトの「空調」というＩＩＤとを用いて夫々の設備側オブジェクトに対する実行要求を集中制御コントローラ３ａ１のモジュール部ＭＯＳに対して行うことになり、集中制御コントローラ３ａ１のモジュール部ＭＯＳでは当該オブジェクトの実行を行い、機能部３０から空調機器１ｂの運転停止の制御信号と、電気錠１ｅの施錠のための制御信号を夫々に対応した信号線１３を介して空調機器１ｂ、電気錠１ｅに送り、空調機器１ｂの運転停止と、電気錠１ｅの施錠という二つのサービスを実行する。
【００４３】
またインターネット９上のクライアント用端末１０ｂからも同様な実行要求をゲートウェイ８のサーバ側オブジェクトに対して行えばセンターサーバ１２が仲介し、インターネット９を介してゲートウェイ８に実行要求が伝達され、上述と同様な処理が為されることになる。
【００４４】
このようにしてサービス機能部ＯＡＳ上の一つのサーバ側オブジェクトに対する実行要求をクライアント用端末１０ａ，１０ｂから行えば、サーバ側オブジェクトに対応付けられた設備機器３側の複数の設備側オブジェクトに対して実行要求が為され、結果複数のサービスを享受することができるのである。
（例２）
例１の場合は一つの設備機器３が有する複数の設備側オブジェクトに対してゲートウェイ８から実行要求を行うようになっているが、本例は複数の設備機器、例えば集中制御コントローラ３ａ１，３ａ２が夫々有する設備側オブジェクトに対してゲートウェイ８から実行要求を行うようにするもので、図５（ｂ）に示すように一方の集中制御コントローラ３ａ１の情報処理部３３のモジュール部ＭＯＳが有する「施錠」というＩＩＤのインターフェースを持つ「電気錠」というＯＩＤの設備側オブジェクトと、他方の集中制御コントローラ３ａ２の情報処理部３３のモジュール部ＭＯＳが有する「空調」というＩＩＤのインターフェースを持つ「空調機器」というＯＩＤの設備側オブジェクトとに対して同時にゲートウェイ８のサービス機能部ＯＡＳ側から実行要求を行う。
【００４５】
つまり本例の場合もゲートウェイ８のサービス機能部ＯＡＳのＯＩＤが「外出」と付されたサーバ側オブジェクトは電気錠１ｃの施錠を行うという意味の関数を定義している「施錠」というＩＩＤが付されたインターフェースを持ち、このＩＩＤを用いた実行要求あると、予め対応付けてある「電気錠」というＯＩＤの設備側オブジェクトの「施錠」というＩＩＤに対して実行要求を行うとともに、「空調機器」というＯＩＤの設備側オブジェクトの「空調」というＩＩＤとに対して実行要求を行うのである。
【００４６】
尚この場合、実行要求対象の設備側オブジェクトは集中制御コントローラ３ａ１、３ａ２に分かれて存在しているが、ゲートウェイ８のサービス機能部ＯＡＳでは設備側オブジェクトのＯＩＤ及びインターフェースのＩＩＤの組み合わせた情報と、サーバ側オブジェクトのＯＩＤとＩＩＤとの組み合わせ情報との対応関係が設定されている上述のテーブル＜表１参照＞及び接続設備情報テーブルを参照することで、夫々の集中制御コントローラ３ａ１、３ａ２のモジュール部ＭＯＳの設備側オブジェクトに対する実行要求を行うことができるのである。
【００４７】
上述の例１では集中制御コントローラ３ａ１の配下の異種の機器を複数同時に制御させ、例２では同種の集中制御コントローラ３ａ１、３ａ２の夫々の配下にある異種の機器を同時に制御させる例であったが、例えば集中制御コントローラ３ａ１或いは３ａ２又は両者の配下にある照明器具１ａの照度を低下させるとともに、同時に録画転送装置３ｃを動作させてＬＡＮ６上のモニタ装置（図示せず）で映像を見るようなシーンを、クライアント用端末１０ａ（或いは１０ｂ）からゲートウェイ８のサービス機能部ＯＡＳのサーバ側オブジェクトの実行要求を行うことで作り出すこともできる。つまり録画転送装置３ｃのモジュール部ＭＯＳの設備側オブジェクトとしては録画映像データの転送を、また集中制御コントローラ３ａ１、３ａ２のモジュール部ＭＯＳの設備側オブジェクトとしては照明器具１ａの調光を夫々実行するようにプログラムしたオブジェクトを用い、ゲートウェイ８のサービス機能部ＯＡＳのサーバ側オブジェクトにはクライアント用端末１０ａ又は１０ｂからの実行要求による実行時、上述の設備側オブジェクトのＯＩＤやＩＩＤに対して実行要求を行うように対応付けておくだけで、上述のシーンを作り出すという複合のサービスをクライアント用端末１０ａ又は１０ｂからサーバ側オブジェクトに対する実行要求を一つ出すだけで享受できることになる。
【００４８】
尚上記例１，２は共にサーバ側オブジェクトが一つのインターフェースを持つ場合であるが、サーバ側オブジェクトに二つ以上のインターフェースを持ち、夫々のインターフェースＩＩＤ毎に設備側オブジェクトを対応付けし、サーバ側オブジェクトの実行要求をＯＩＤと各別のＩＩＤとの組み合わせ情報で行うようにすれば、クライアント用端末１０ａ又は１０ｂから実行要求を行う場合にサーバ側オブジェクトのインターフェースをＩＩＤで選択することで、多様な設備機器３の選択制御が可能となる。表２は例えばＯＩＤが「１」という一つのサーバ側オブジェクトにＩＩＤが「１」のインターフェースと、「２」というインターフェースを持たせ、夫々のインターフェース毎に対応する設備側オブジェクトのＯＩＤとＩＩＤとの組み合わせ情報との対応関係を設定した対応関係設定テーブルの内容例である。
【００４９】
【表２】
2007274601.tif 000004
【００５０】
而して本実施形態では、クライン用端末１０ａ、１０ｂとゲートウェイ８との間の通信量を増やすことなく同時制御が可能な上に、制御対象となる設備機器３が増減された場合には、上述の対応関係設定機能によりゲートウェイ８のサービス機能部ＯＡＳから実行要求を行う対象となる設備機器３の設備側オブジェクトのＯＩＤ及びＩＩＤの組み合わせ情報を変更するだけで、簡単に対応することができる。しかもゲートウェイ８のサービス機能部ＯＡＳのオブジェクトの実行時に実行要求を行う設備機器３のオブジェクトの対応付けを対応関係設定機能により変更することで、一つの実行要求で種々のサービスを同時に受けることができる構成であるため、同時に享受するサービスを変更する場合も設備機器３の情報処理部３３のモジュール部ＭＯＳ側やクライアント用端末１０ａ又は１０ｂのプログラム変更を必要としない。
（実施形態２）
上述の実施形態１のシステムでは、照明器具１ａ、空調機器１ｂ、電気錠１ｃ等が集中制御コントローラ３ａや３ｂで制御されるものであったが、本実施形態では照明器具１ａ、空調機器１ｂ、電気錠１ｃ等の機器に図２に示す設備機器として必要な構成を搭載することで、図６に示すようにこれら機器をオブジェクト搭載の設備機器とした点で実施形態１のシステムと相違する。
【００５１】
そして本実施形態の場合では、照明器具１ａ、空調機器１ｂ、電気錠１ｃ等の機器に搭載の情報処理部３３のモジュール部ＭＯＳの設備側オブジェクトとして、機器固有の機能部３０に所定の制御情報を機能部３０に渡すようにプログラムされたオブジェクトを用いる。
【００５２】
一方ゲートウェイ８のサービス機能部ＯＡＳはこれら機器のモジュール部ＭＯＳの設備側オブジェクトのＯＩＤとその下のインターフェースのＩＩＤとからなる組み合わせ情報と、機器のＩＰアドレスとの関係を接続設備情報用テーブルに予め格納することになる。
【００５３】
そしてサービス機能部ＯＡＳのサーバ側オブジェクトとして、上述の例２の場合と同様に、予め対応付けてある複数の機器（設備機器）のモジュール部ＭＯＳの設備側オブジェクトのＯＩＤやＩＩＤに対する実行要求を行うようにプログラムされたオブジェクトを用い、クライアント用端末１０ａ又は１０ｂからサーバ側オブジェクトに対して実行要求を行うと、上述の例２の場合と同様に複数の機器（設備機器）のモジュール部ＭＯＳのオブジェクトのＯＩＤやＩＩＤに対する実行要求がサーバ側オブジェクトの実行より行われ、これら機器のサービスが同時に提供されることになる。
【００５４】
またインターネット９上のクライアント用端末１０ｂからも同様な実行要求をゲートウェイ８のオブジェクトに対して行えばセンターサーバ１２が仲介し、インターネット９を介してゲートウェイ８に実行要求が伝達され、上述と同様な処理が為されることになる。
【００５５】
このようにしてサービス機能部ＯＡＳ上の一つのサーバ側オブジェクトに対する実行要求をクライアント用端末１０ａ，１０ｂから行えば、サーバ側オブジェクトに対応付けられた設備機器３側の複数のオブジェクトに対して実行要求が為され、結果複数のサービスを享受することができるのである。
【００５６】
而して本発明の遠隔制御システムでは、クライン用端末１０ａ、１０ｂとゲートウェイ８との間の通信量を増やすことなく同時制御が可能な上に、制御対象となる設備機器３が増減された場合には、上述の対応関係設定機能によりゲートウェイ８のサービス機能部ＯＡＳから実行要求を行う対象となる設備機器３の設備側オブジェクトのＯＩＤ及びＩＩＤの組み合わせ情報を変更するだけで、簡単に対応することができる。しかもゲートウェイ８のサービス機能部ＯＡＳのオブジェクトの実行時に実行要求を行う設備機器３のオブジェクトの対応付けを対応関係設定機能により変更することで、一つの実行要求で種々のサービスを同時に受けることができる構成であるため、同時に享受するサービスを変更する場合も設備機器３の情報処理部３３のモジュール部ＭＯＳ側やクライアント用端末１０ａ又は１０ｂのプログラム変更を必要としない。
【００５７】
また上述の実施形態１，２のようにゲートウェイ８のサービス機能部ＯＡＳに上述のようなサーバ側オブジェクトを持たせるのではなく、センターサーバ１１等インターネット９のサーバに搭載するサービス機能部ＯＡＳに持たせてもよい。
【００５８】
更に上述の実施形態１，２の場合には制御だけであったが、異なる情報（変数と関数或いは関数とイベント情報）を定義したインターフェースを持つオブジェクトに対する実行要求を同時に行うようにすれば、制御と監視という異種のサービスを同時に享受することも可能である。
【図面の簡単な説明】
【００５９】
【図１】実施形態１のシステム構成図である。
【図２】（ａ）は実施形態１に用いる設備機器の基本構成図、（ｂ）はＭＯＳの構成図である。
【図３】実施形態１に用いるゲートウェイの構成図である。
【図４】実施形態１に用いるクライアント用端末の構成図である。
【図５】実施形態１の各例の動作説明図である。
【図６】実施形態２のシステム構成図である。
【符号の説明】
【００６０】
１ａ  照明器具
１ｂ  空調機器
１ｃ  電気錠
２    ブレーカー群
３ａ１，３ａ２  集中制御コントローラ
３ｂ  警報監視装置
３ｃ  録画転送装置
４    異常発生検出用センサ
５  インターホンシステム
６  ＬＡＮ
７  分電盤
８  ゲートウェイ
９  インターネット
１０ａ、１０ｂ  クライアント用端末
１１  パソコン
１２  センターサーバ
Ａ  ユーザエリア
ＯＡＳ  サービス機能部
ＭＯＳ  モジュール部
【図１】
2007274601.tif 000005
【図２】
2007274601.tif 000006
【図３】
2007274601.tif 000007
【図４】
2007274601.tif 000008
【図５】
2007274601.tif 000009
【図６】
2007274601.tif 000010
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
１乃至複数の設備機器と、１乃至複数のクライアント用端末と、前記設備機器と前記クライアント用端末との間の情報の授／受に介在するサーバとをネットワークで接続して構成され、
前記設備機器は、制御対象となる機能部と、前記機能部が提供するサービスに対応する制御情報を定義した入出力定義機能を１乃至複数具備して当該入出力定義機能に定義されている前記制御情報を前記機能部に与える処理を実行するための１乃至複数の設備側オブジェクトを有し、前記設備側オブジェクトに固有に付与された第１の識別子、当該設備側オブジェクトが具備する入出力定義機能に付与された第２の識別子を用いて設備側オブジェクトに対する実行要求が前記サーバからあると当該設備側オブジェクトの実行によって前記制御情報を前記機能部に与える情報処理部とを少なくとも備え、
前記サーバは、入出力定義機能を１乃至複数具備して複数の前記設備側オブジェクトの第１，第２の識別子の組み合わせに対応付けられた１乃至複数のサーバ側オブジェクトを有し、前記サーバ側オブジェクトに固有に付与された第３の識別子、当該サーバ側オブジェクトが具備する入出力定義機能に付与された第４の識別子を用いてサーバ側オブジェクトに対する実行要求がクライアント用端末からあると、前記対応付けられた複数の前記設備側オブジェクトの第１の識別子、第２の識別子を用いて当該複数の設備側オブジェクトに対する実行要求を当該設備機器にネットワークを介して行うサービス機能部を備え、
前記クライアント用端末は、前記サーバ側オブジェクトに対する実行要求を当該サーバ側オブジェクトの第３の識別子、第４の識別子を用いて行う機能を備え、
前記サーバのサービス機能部は、前記サーバ側オブジェクトの第３，第４の識別子の組み合わせの１つに対して前記設備側オブジェクトの第１，第２の識別子の組み合わせを複数対応付ける対応関係設定機能を備え、当該対応関係設定機能によって設定された対応関係を参照して、設備側オブジェクトに対する実行要求を設備機器にネットワークを介して行うことを特徴とする遠隔制御システム。
【請求項２】
前記サーバ側オブジェクトの第３，第４の識別子の組み合わせに対応付ける前記複数の設備側オブジェクトの第１，第２の識別子の組み合わせは、一つの設備機器が提供する複数のサービスに各別に対応することを特徴とする請求項１記載の遠隔制御システム。
【請求項３】
前記サーバ側オブジェクトの第３，第４の識別子の組み合わせに対応付ける前記複数の設備側オブジェクトの第１，第２の識別子の組み合わせは、サービスを各別に提供する複数の設備機器に夫々対応することを特徴とする請求項１記載の遠隔制御システム。
【手続補正２】
【補正対象書類名】明細書
【補正対象項目名】０００６
【補正方法】変更
【補正の内容】
【０００６】
上述の目的を達成するために、請求項１の発明では、１乃至複数の設備機器と、１乃至複数のクライアント用端末と、前記設備機器と前記クライアント用端末との間の情報の授／受に介在するサーバとをネットワークで接続して構成され、
前記設備機器は、制御対象となる機能部と、前記機能部が提供するサービスに対応する制御情報を定義した入出力定義機能を１乃至複数具備して当該入出力定義機能に定義されている前記制御情報を前記機能部に与える処理を実行するための１乃至複数の設備側オブジェクトを有し、前記設備側オブジェクトに固有に付与された第１の識別子、当該設備側オブジェクトが具備する入出力定義機能に付与された第２の識別子を用いて設備側オブジェクトに対する実行要求が前記サーバからあると当該設備側オブジェクトの実行によって前記制御情報を前記機能部に与える情報処理部とを少なくとも備え、
前記サーバは、入出力定義機能を１乃至複数具備して複数の前記設備側オブジェクトの第１，第２の識別子の組み合わせに対応付けられた１乃至複数のサーバ側オブジェクトを有し、前記サーバ側オブジェクトに固有に付与された第３の識別子、当該サーバ側オブジェクトが具備する入出力定義機能に付与された第４の識別子を用いてサーバ側オブジェクトに対する実行要求がクライアント用端末からあると、前記対応付けられた複数の前記設備側オブジェクトの第１の識別子、第２の識別子を用いて当該複数の設備側オブジェクトに対する実行要求を当該設備機器にネットワークを介して行うサービス機能部を備え、
前記クライアント用端末は、前記サーバ側オブジェクトに対する実行要求を当該サーバ側オブジェクトの第３の識別子、第４の識別子を用いて行う機能を備え、
前記サーバのサービス機能部は、前記サーバ側オブジェクトの第３，第４の識別子の組み合わせの１つに対して前記設備側オブジェクトの第１，第２の識別子の組み合わせを複数対応付ける対応関係設定機能を備え、当該対応関係設定機能によって設定された対応関係を参照して、設備側オブジェクトに対する実行要求を設備機器にネットワークを介して行うことを特徴とする。
【手続補正３】
【補正対象書類名】明細書
【補正対象項目名】０００７
【補正方法】変更
【補正の内容】
【０００７】
請求項１の発明によれば、クライアント用端末からサーバのサーバ側オブジェクトに対する実行要求を一つ出せば、サーバ側オブジェクトから対応付けてある複数の設備側オブジェクトに対する実行要求を行うため、クライアント用端末とサーバ側との間の通信量を変えずに設備側オブジェクトの実行によって提供されるサービスを複数同時に享受することができ、クライアント用端末のアプリケーションで複数の設備側オブジェクトに対する対応を行う必要もなく、その上設備機器のサービスを同時に複数享受することができ、またサービスを提供する機器の増加に柔軟に対処することができる。さらに、サーバのサービス機能部は、サーバ側オブジェクトに対応付ける設備機器の増減があっても、対応関係設定機能により設定されているサーバ側オブジェクトの識別子と該識別子に対応付ける前記設備側オブジェクトの識別子との関係を変更するだけで容易に対処することができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項２の発明では、請求項１の発明において、前記サーバ側オブジェクトの第３，第４の識別子の組み合わせに対応付ける前記複数の設備側オブジェクトの第１，第２の識別子の組み合わせは、一つの設備機器が提供する複数のサービスに各別に対応することを特徴とする。
【手続補正７】
【補正対象書類名】明細書
【補正対象項目名】００１１
【補正方法】変更
【補正の内容】
【００１１】
請求項２の発明によれば、複数の設備側オブジェクトを有し、夫々の設備側オブジェクトの実行で複数のサービスが提供できる設備機器に対して、各設備側オブジェクトの実行要求をサーバから同時に行える。
【手続補正８】
【補正対象書類名】明細書
【補正対象項目名】００１２
【補正方法】変更
【補正の内容】
【００１２】
請求項３の発明では、請求項１の発明において、前記サーバ側オブジェクトの第３，第４の識別子の組み合わせに対応付ける前記複数の設備側オブジェクトの第１，第２の識別子の組み合わせは、サービスを各別に提供する複数の設備機器に夫々対応することを特徴とする。
【手続補正９】
【補正対象書類名】明細書
【補正対象項目名】００１３
【補正方法】変更
【補正の内容】
【００１３】
請求項３の発明によれば、複数の設備機器の制御を、クライアント用端末から一つの実
行要求をサーバ側オブジェクトに行うだけで達成でき、例えば異種の設備機器を一度に制
御することも可能となる。